(57)【特許請求の範囲】
【請求項１】
中空部を有する方立部材と、
前記方立部材の屋内側見付け面に固定された筒状の補強部材とを備え、
前記補強部材は見込み方向の長さが前記方立部材の見込み方向の長さより長く且つ前記方立部材側から固定具で固定され、
前記方立部材の中空部には方立補強材が設置され、前記方立補強材は前記固定具の頭部に対向する部分を有していることを特徴とする方立。
【請求項２】
前記方立部材は、前記屋内側見付け面及び第一見込み面を有する第一方立部材と、前記第一見込み面に対向する第二見込み面を有する第二方立部材とを備え、前記固定具は前記屋内側見付け面の中心線から第二方立部材側に偏心した位置に固定した請求項１に記載された方立。
【請求項３】
前記第一方立部材の第一呑込み部は前記第二方立部材の第二呑込み部より見付け方向の深さが大きく設定されている請求項２に記載された方立。
【請求項４】
前記補強部材の前記屋内側見付け面に当接する当接面は、見付け方向の両端部が突出して前記屋内側見付け面に当接している請求項１から３のいずれか１項に記載された方立。
【発明の詳細な説明】
【技術分野】
【０００１】
本発明は、方立部材の強度を補強部材で補強した方立に関する。
【背景技術】
【０００２】
従来、店舗等の建物の出入り口を有する前面に設けたフロントサッシ(店舗用建材)では、開閉可能なドアの隣に方立を介してフィックス（ＦＩＸ）窓が取り付けられ、フィックス窓に屋内を見通せるガラスパネルが収納されている。このようなフロントサッシは方立部材の両側にドアまたはフィックス窓を有しているものがあり、強度を補強するために方立部材の屋内側に補強部材を取り付けた方立が提案されている。
【０００３】
従来の方立は、方立部材の屋内側見付け面に補強部材の当接面を当接させて取り付けネジで補強部材側から固定している。しかも、補強部材の屋内側見付け面には取り付けネジを固定するドライバー等の工具の軸を補強部材の内部に通すための取り付け穴が形成されており、ねじ止め後にこの取り付け穴をプッシュボタンで嵌合させて隠すことによって意匠性を向上させている。
【０００４】
また、特許文献１に記載されたフロントサッシの方立では、方立の屋内側の見付け面に意匠材を取り付けネジで固定して意匠性を向上させている。このフロントサッシは、方立を第１縦枠と第２縦枠に分割しておき、ガラス保持枠に第１縦枠を取り付ける。また、意匠材の取り付けネジを意匠材の凹条溝に予め装着しておき、取り付けネジを方立の見付け面に通して方立部材側からナットで取り付けネジを締め込むことで意匠材を第１縦枠に固定する。その後、第２縦枠を第１縦枠に装着して方立を組み立てている。
この意匠材は、取り付けネジが露出しないように、意匠材の屋内側に取り付けネジを囲う凹条溝とこれらを隠す取り付け面とを形成している。
【先行技術文献】
【特許文献】
【０００５】
【特許文献１】特開平８−１２８２６６号公報
【発明の概要】
【発明が解決しようとする課題】
【０００６】
しかしながら、前者のフロントサッシでは、補強部材の屋内側の見付け面に取り付け穴を隠すプッシュボタンを設けたため、外観上の見栄えが悪かった。しかも、取り付け穴を通してドライバーなどの工具の軸を挿入して取り付けネジを方立部材にねじ止めすることは、作業者から取り付けネジが見えにくいために作業が煩雑であった。
【０００７】
また、特許文献１に記載のフロントサッシは、意匠材の凹条溝に予め取り付けネジを装着しておく必要があり、しかも第１縦枠側からナットで取り付けネジを締め込んで意匠材と第１縦枠を固定し、その後で、第２縦枠を装着して方立を組み立てるため、組立作業が煩雑であった。また、意匠材は凹条溝に嵌め込んだ取り付けネジを隠すための取り付け面を設けているため、意匠材の構造が複雑であるという欠点もあった。
【０００８】
本発明は、このような問題点に鑑みてなされたものであって、補強部材の外観の意匠性が良く、しかも構造が簡単で組立の容易な方立を提供することを目的とする。
【課題を解決するための手段】
【０００９】
本発明による方立は、中空部を有する方立部材と、方立部材の屋内側見付け面に固定された筒状の補強部材とを備え、補強部材は見込み方向の長さが前記方立部材の見込み方向の長さより長く且つ前記方立部材側から固定具で固定され、前記方立部材の中空部には方立補強材が設置され、前記方立補強材は前記固定具の頭部に対向する部分を有していることを特徴とする。
本発明によれば、方立として方立部材に補強部材を連結したため、方立部材の強度を補強でき、しかも補強部材は方立部材側から固定具で方立部材に固定したため、補強部材に取り付け穴やプッシュボタン等の部材を設置する必要がなく屋内側の外観の意匠性が向上し、また補強部材に取り付けネジを予め装着する凹条溝や取り付けネジを隠すための取り付け面等の部材を設ける必要がなく、構造が簡単で取り付け作業が簡単で容易である。
【００１０】
また、方立部材は、屋内側見付け面及び第一見込み面を有する第一方立部材と、第一見込み面に対向する第二見込み面を有する第二方立部材とを備え、固定具は屋内側見付け面の中心線から第二方立部材側に偏心した位置に装着することが好ましい。
本発明では、第一方立部材の屋内側見付け面において中心線から第二方立部材側に偏心した位置で補強部材と固定ねじ等の固定具によって固定するため、補強部材側から固定具を取り付けることがなく取り付け穴やプッシュボタン等の部材を設置しないので補強部材の構成が簡単で外観の意匠性が良い。しかも、固定具は第一方立部材の屋内側見付け面における中心線から第二方立部材側に偏心した位置に装着するため、補強部材に予め保持させる必要がなく、第一方立部材を取り付けた後でも第一方立部材が邪魔にならず、固定具の取り付け作業を容易に行える。
【００１１】
また、第一方立部材に設けた第一呑込み部は第二方立部材に設けた第二呑込み部より見付け方向の深さが大きく設定されていてもよい。
方立の両側にパネルを収納する場合、第一呑込み部のパネル溝深さを第二呑込み部よりも深く設定して、各フィックス窓等の各種の窓の第一呑込み部及び第二呑込み部に順次パネルを挿入することで収納を行うようになっている。そのため、両側のパネルの挿入を確実に行うことができる。
【００１２】
また、補強部材の屋内側見付け面に当接する当接面は、見付け方向の両端部が突出して屋内側見付け面に当接していてもよい。
第一方立部材の屋内側見付け面に固定具によって連結する補強部材の当接面は、見付け方向の両端部が突出して屋内側見付け面に当接しているため、方立と補強部材の互いに連結する各面が平行でなくても当接面の隙間を均一に設定でき、見栄えが良くなる。
【発明の効果】
【００１３】
本発明による方立によれば、方立として方立部材に補強部材を連結したため方立の強度を補強できる上に、補強部材は方立部材側から固定具で固定するために、補強部材に取り付け穴やプッシュボタン等の部材を設置する必要がなく、屋内側の外観の意匠性が向上する。また、補強部材に、取り付けネジを予め装着する凹条溝や取り付けネジを隠すための取付面等の部材を設ける必要がなく、構造が簡単で取り付け作業が容易である。
【図面の簡単な説明】
【００１４】
【図１】本発明の実施形態によるフロントサッシの要部正面図である。
【図２】図１に示すフロントサッシのＡ−Ａ線断面図である。
【図３】図１に示すフロントサッシにおけるフィックス窓間のＢ−Ｂ線水平断面図である。
【図４】図３に示す方立の拡大断面図である。
【図５】図４に示す方立部材と補強部材の連結部分の拡大図である。
【図６】変形例による方立の図４と同様な拡大断面図である。
【発明を実施するための形態】
【００１５】
以下、本発明の実施形態による方立について図１乃至図５を参照しながら説明する。
図１は実施形態による方立を備えた店舗等の前面に設けたフロントサッシ１を示すものである。フロントサッシ１は、上枠３と下枠４との間に方立５で仕切られた枠体内にガラス等のパネル６が納められたフィックス（ＦＩＸ）窓７として、例えばフィックス窓７Ａ、７Ｂ、７Ｃを備えており、フィックス窓７Ａの間に開口枠９が設置されている。
開口枠９は、中間横枠１０と下枠４と方立５とで仕切られた枠体であり、その中央部に開閉可能な例えば両開きの自動ドア１１が設けられ、その外側に方立５を介してフィックス窓７Ｂが設置されている。また、上枠３と中間横枠１０との間には欄間としてのフィックス窓７Ｃが設置されている。フィックス窓７Ｃに代えて、排煙窓を設置してもよい。
【００１６】
そして、図２及び図３に示すフィックス窓７Ａ、７Ｂの間に設けた実施形態による方立５について図２から図４により説明する。図２及び図３に示すフィックス窓７Ａ，７Ｂは、上枠３または中間横枠１０と下枠４と左右の縦枠を構成する方立５とで仕切られた枠体内にパネル６を収納している。パネル６は単層ガラスでもよいし、ペアガラス等の複層ガラスでもよい。下枠４には中空の下枠本体４ａが設けられている。また、上枠３の屋内側には上部額縁部１５がねじ１６によって連結されている。
図３に示すフィックス窓７Ａとフィックス窓７Ｂは方立５、例えば中間の方立５Ａで仕切られ、各フィックス窓７Ａ，７Ｂの左右の外側端部には端部側の方立５Ｂが設置されている。しかも、中間の方立５Ａは方立部材２０と補強部材１７とで構成され、補強部材１７は方立部材２０の屋内側にその強度と剛性を補強するために連結されている。
なお、本明細書において、見付け方向または見付け面とはパネル６の配列方向をいい、見込み方向または見込み面とはパネル６に直交する奥行方向をいうものとする。
【００１７】
図３及び図４において、中間の方立５Ａは、方立部材２０が第一方立部材１８と第二方立部材１９とで形成されている。第一方立部材１８は屋外側にフィックス窓７Ａにおけるパネル６の一方の端部を支持する第一呑込み部１８ａを有している。しかも、第一方立部材１８の第一呑込み部１８ａの一部を構成する第一屋外側見付け面１８ｂと、第一見込み面１８ｃと、屋内側見付け面１８ｄとが断面視略コの字状に形成されており、屋内側見付け面１８ｄは方立５Ａの屋内側の見付け面のほぼ全体を構成している。
また、第二方立部材１９は屋外側にフィックス窓７Ｂにおけるパネル６の一方の端部を支持する第二呑込み部１９ａを有している。しかも、第二方立部材１９の第二呑込み部１９ａの一部を構成する第二屋外側見付け面１９ｂと、第一見込み面１８ｃに対向する第二見込み面１９ｃとが断面視略Ｌ字状に形成されている。
しかも、第一方立部材１８の屋内側見付け面１８ｄは第一呑込み部１８ａの底部よりも外側即ち第二方立部材１９側（図４において、右側）に突出している。
【００１８】
方立部材２０を形成する第一方立部材１８と第二方立部材１９は断面略コの字状の第一呑込み部１８ａと第二呑込み部１９ａの互いに対向する底部同士を連結ねじ２１によって連結している。これによって、第一及び第二方立部材１８，１９は第一呑込み部１８ａと第二呑込み部１９ａが底部を対向させて形成され、第一屋外側見付け面１８ｂ及び第一見込み面１８ｃ及び屋内側見付け面１８ｄと、第二屋外側見付け面１９ｂ及び第二見込み面１９ｃとで略四角形筒状をなす方立部材２０の枠体を構成する。
【００１９】
しかも、第一方立部材１８の第一呑込み部１８ａはそのパネル溝の深さが第二方立部材１９の第二呑込み部１９ａよりも深く設定されている。
また、方立部材２０の屋内側に連結される補強部材１７は例えば断面四角形筒状に形成されており、その屋外側の当接面１７ａが第一方立部材１８の屋内側見付け面１８ｄに対向して当接し、固定ねじ２２によって連結されている。
固定ねじ２２の固定位置は第一方立部材１８の屋内側見付け面１８ｄの中心線Ｌに対して第二方立部材１９側に偏心した位置である。換言すれば、固定ねじ２２の固定位置は、屋外から屋内方向に見て、第一方立部材１８の第一呑込み部１８ａの底部から第二方立部材１９側に若干外れた位置である。
【００２０】
しかも、本実施形態では、第一方立部材１８と第二方立部材１９の間に方立補強材２３が設置されている。方立補強材２３は、第一方立部材１８の第一呑込み部１８ａの底部、第一屋外側見付け面１８ｂ、第一見込み面１８ｃ、屋内側見付け面１８ｄに沿った屈曲形状を形成しており、その基端部２３ａが第一及び第二呑込み部１８ａ，１９ａの底部の間に介在して連結ねじ２１で一体に固定され、先端部２３ｂが屋内側見付け面１８ｄに当接して固定ねじ２２の頭部２２ａを押圧することで固定ねじ２２の緩みや外れを防止している。
【００２１】
また、方立補強材２３は、上述の構成に代えて、第二方立部材１９における第二呑込み部１９ａの底部、第二屋外側見付け面１９ｂ、第二見込み面１９ｃ、そして第一方立部材１８の屋内側見付け面１８ｄに沿った屈曲形状を形成してもよい。即ち、方立補強材２３は方立部材２０の断面四角形筒状の内部に係止されて、屋内側見付け面１８ｄに螺合させた固定ねじ２２の頭部２２ａを押圧して緩みを防止する構造であればよい。
【００２２】
また、図５に示す方立５Ａの屋内側見付け面１８ｄと補強部材１７の当接面１７ａとの連結部において、屋内側見付け面１８ｄに対向する当接面１７ａの両側角部に突出部１７ｂが形成されている。当接面１７ａの両突出部１７ｂが屋内側見付け面１８ｄに当接し、両突出部１７ｂ間の面は非接触となる隙間が形成されている。また、当接面１７ａにおける固定ねじ２２の螺合部は他の部分より肉厚に形成された肉厚部１７ｃとされている。当接面１７ａにおける肉厚部１７ｃは左右対称な位置に一対形成されているため、補強部材１７を左右逆向きに取り付けることができる。
【００２３】
この状態において、フィックス窓７Ａの一方の方立５Ａの第一呑込み部１８ａは比較的深く形成されているため、対向する他方の方立５Ｂの呑込み部をより浅く形成できる。同様に、フィックス窓７Ｂの第二呑込み部１９ａは比較的浅く形成されており、他方の呑込み部を深く設定する。これによって、パネル６の嵌め込みが容易になる。
【００２４】
本実施形態による方立５Ａは上述した構成を備えており、次に方立５Ａの組み立て方法について図４及び図５に沿って説明する。
まず、第一方立部材１８の屋内側見付け面１８ｄに補強部材１７の当接面１７ａを当接させる。そして、第一呑込み部１８ａ側から屋内側見付け面１８ｄを通して当接面１７ａの肉厚部１７ｃに固定ねじ２２を螺合させて一体化させる。
【００２５】
このとき、固定ねじ２２を螺合させる位置は第一方立部材１８の第一呑込み部１８ａの底部の外側であるため、ドライバー等の工具の軸が第一呑込み部１８ａの底部と干渉することはなく、固定ねじ２２をスムーズに屋内側見付け面１８ｄと当接面１７ａの肉厚部１７ｃに螺合させて固定できる。
【００２６】
次に、第一方立部材１８の底部に方立補強材２３の基端部２３ａを重ねて、第一方立部材１８の各面に方立補強材２３の各面を当接させて設置する。そして、予め組み立てられたフィックス窓７Ａ，７Ｂの窓枠の枠体に、補強部材１７と連結された第一方立部材１８をフィックス窓７Ａの上枠３と下枠４とに取り付けてねじ固定する。更に、方立補強材２３の基端部２３ａに対して第一呑込み部１８ａの底部と反対側に第二呑込み部１９ａの底部を当接させて、連結ねじ２１でこれらを固定する。これによって、第一方立部材１８の屋内側見付け面の端部と第二方立部材１９の第二見込み面１９ｃの端部とが方立５Ａの角部で当接する。
このようにして、フィックス窓７Ａと７Ｂの間に中間の方立５Ａを取り付け、補強部材１７も方立５Ａに連結される。
【００２７】
そして、フィックス窓７Ａの枠体にガラスのパネル６を取り付ける場合、比較的深さの深い第一呑込み部１８ａ内にパネル６を深く押し込み、他方の方立５の呑込み部側にパネル６を移動することで、フィックス窓７Ａへのパネル６の収納作業が完了する。
【００２８】
上述のように、本実施形態による中間の方立５Ａによれば、中間の方立５Ａの屋内側見付け面１８ｄに補強部材１７を取り付けることで方立５Ａやフロントサッシ１の強度と剛性を補強できる。
しかも方立５Ａ側から補強部材１７を固定ねじ２２で固定するため、固定ねじ２２が屋内に露出せず、補強部材１７に取り付け穴やプッシュボタンや凹条溝や取り付け面等の部材を設けないために屋内側の外観の意匠性が良い。また、ねじを予め補強部材１７に取り付ける必要もなく方立５Ａと補強部材１７の形状が簡単で製造と組み立てが容易である。そのため、フロントサッシ１における中間の方立５Ａの耐風圧強度を向上できる。
【００２９】
また、方立５Ａの組立に際し、第一方立部材１８に補強部材１７を固定ねじ２２で締結する際、固定ねじ２２は第一方立部材１８の屋内側見付け面１８ｄにおける中心線Ｌから外側に偏心した位置に固定するため、ドライバー等の工具の軸と第一呑込み部１８ａとが干渉することを防止して、容易に方立５Ａに補強部材１７を連結できる。
さらに、補強部材１７の当接面１７ａの両端部に設けた突出部１７ｂを屋内側見付け面１８ｄに当接させることで、第一方立部材１８の屋内側見付け面１８ｄと補強部材１７の当接面１７ａとが平行でなくても突出部１７ｂ間の隙間を一定にできて端部に隙間ができないので施工強度が高く施工性が良い。
更に、方立５Ａ内に方立補強材２３を設けて固定ねじ２２の頭部２２ａを押圧させることで補強部材１７との取り付け強度が緩むことを防止できる。
【００３０】
なお、本発明による方立５Ａは、上述した実施形態に限定されるものではなく、本発明の要旨を逸脱しない範囲で適宜の変更や置換等が可能である。以下に、本発明の変形例について説明するが、上述した実施形態と同一または同様な部材、部品等には同一の符号を用いて説明を省略する。
【００３１】
例えば、本発明の上述した実施形態では、方立５Ａの断面四角形筒状の内部に方立補強材２３を設置して固定ねじ２２を常時押圧するように構成したが、図６に示す本変形例において、方立５Ａの断面四角形筒状の内部に方立補強材２３を設置しなくてもよい。そのため、本変形例では、第一方立部材１８の第一呑込み部１８ａと第二呑込み部１９ａの底部同士を直接当接させて連結ねじ２１で固定している。
このような構成であっても、本発明を実現できる。
【００３２】
また、本発明の実施形態では、図５に示すように、方立５Ａの第一方立部材１８の屋内側見付け面１８ｄの中心線Ｌに対して第一呑込み部１８ａから外側(図５において右側）に偏心した位置に固定ねじ２２を螺合するようにしたが、このような構成に代えて、固定ねじ２２を第一方立部材１８の屋内側見付け面１８ｄの中心線Ｌ上に固定してもよい。
この場合、締め付け工具としてＬ字状のドライバーを用いれば、固定ねじ２２を偏心位置でなくても十分締め込み可能であり、第一呑込み部１８ａが邪魔にならない。
【００３３】
また、上述した実施形態や変形例による方立５Ａでは、パネル溝の深さの大きい方の第一呑込み部１８ａを有するものを第一方立部材１８として説明したが、本発明はこれに代えてパネル溝の深さの小さい方の第二呑込み部１９ａを有する第二方立部材１９に屋内側見付け面を連結して第一方立部材とし、パネル溝の深さの大きい方の第一呑込み部１８ａを有する第一方立部材１８から屋内側見付け面を削除して第二方立部材としてもよい。この場合も第二方立部材側に偏心した位置に固定ねじ２２を螺合させる。
【００３４】
また、例えば方立５Ａの見付け方向の幅が比較的広ければ、パネル６を挿入するための第一呑込み部１８ａの深さを十分深く設定しても、第一呑込み部１８ａの底部が中心線Ｌに重ならないように形成できる。そのため、固定ねじ２２を中心線Ｌ上でねじ込んでも、取り付け時におけるドライバー等の工具が第一呑込み部１８ａの底部に干渉することはない。
なお、上述した実施形態や変形例ではフィックス（ＦＩＸ）窓７（７Ａ，７Ｂ、７Ｃ）に設けた方立５Ａについて説明したが、フィックス窓に代えて排煙窓やその他の窓など、適宜の窓等に設置した方立に適用できる。
【符号の説明】
【００３５】
１  フロントサッシ
５、５Ａ、５Ｂ  方立  
６  パネル
７、７Ａ，７Ｂ、７Ｃ  フィックス窓
１７  補強部材
１７ａ  当接面
１７ｂ  突出部
１８  第一方立部材
１８ａ  第一呑込み部
１８ｄ  屋内側見付け面
１９  第二方立部材
１９ａ  第二呑込み部
２０  方立部材
２２  固定ねじ
【図１】
0006498909.tif 000002
【図２】
0006498909.tif 000003
【図３】
0006498909.tif 000004
【図４】
0006498909.tif 000005
【図５】
0006498909.tif 000006
【図６】
0006498909.tif 000007